(57)【要約】      （修正有）【課題】２台の収納家具において同じ把手配置の開き扉を用い、天地関係を維持したまま、２台の収納家具を上下２段重ねできる収納家具を提供する。【解決手段】家具本体部２と、家具本体部２に対して着脱可能で左右の扉部３Ａ、３Ｂを入れ替えて上下逆に取り付けられる開き扉と、家具本体部２に着脱可能に設けられた脚部４とから成り、脚部４には、アジャスター４４を装着できる雌ねじ部が形成されており、地板２２には、脚部４を上記家具本体部２に連結するための連結部材４３が装着される第１連結用貫通孔２２ａが形成されており、天板２３には、第２連結用貫通孔２３ａと、脚部４が天板２３側に配置された場合のアジャスター４４を家具本体部２の内側から操作するための操作用貫通孔２３ｂと、が形成されている。【選択図】図７
2014166230.tif 000002
【特許請求の範囲】
【請求項１】
地板および天板を有する家具本体部と、上記家具本体部に対して着脱可能で左右の扉部を入れ替えて上下逆に取り付けられるようにした把手付きの開き扉と、上記家具本体部に着脱可能に設けられた脚部とから成り、
上記脚部には、高さが変えられるアジャスターを装着できる装着部が形成されており、
上記地板には、上記脚部を上記家具本体部に連結するための連結部材が装着される第１連結用貫通孔が形成されており、
上記天板には、上記第１連結用貫通孔に一致する配置の第２連結用貫通孔、および上記脚部が上記天板側に配置された場合の上記アジャスターを上記家具本体部の内側から操作するための操作用貫通孔が形成されていることを特徴とする収納家具。
【請求項２】
請求項１に記載の収納家具において、上記地板の下面には、上記アジャスターの操作用端部が入り込む有底穴が形成されていることを特徴とする収納家具。
【請求項３】
請求項１に記載の収納家具において、上記地板と上記天板が同一構成であることを特徴とする収納家具。
【請求項４】
請求項１〜請求項３のいずれか１項に記載の収納家具を２台用い、上段に配置する収納家具を、その脚部を取り外して天地を維持した状態で下段の収納家具の天板上に配置し、上段に配置する収納家具の地板と下段の収納家具の天板とを連結する工程と、上記取り外した脚部を上段の収納家具の天板に組み付ける工程と、上段に配置する収納家具から上記把手付きの開き扉の左右の扉部を取外し、左右入れ替えて上下逆に付け直す工程と、を含むことを特徴とする収納家具の２段重ね方法。
【発明の詳細な説明】
【技術分野】
【０００１】
この発明は、室内空間を間仕切るのに利用可能な収納家具および収納家具の２段重ね方法に関する。
【背景技術】
【０００２】
特許文献１には、上下にキャビネット本体を重ねることができるキャビネット構造において、キャビネット本体の天地関係を維持したまま、下段のキャビネット本体の天板に上段のキャビネット本体の底板を重ねて連結する構造が開示されている。
【０００３】
上記特許文献１に開示されたキャビネット構造では、各キャビネット本体に開き戸を設けている場合、下段のキャビネットの開き戸には把手を上部に設け、上段のキャビネットの開き戸には把手を手の届く下部位置に設ける必要があり、下段用と上段用のキャビネットの構造が異なるという欠点があった。
【０００４】
特許文献２には、上記欠点を解消できるキャビネット装置が開示されている。具体的には、このキャビネット装置は、ローキャビネットを上下に重ねてハイキャビネットとし、壁面収納庫を構築可能なキャビネット装置において、天板、両側板、背板及び底板を少なくとも有するキャビネット本体の底部に設けた取付部に、巾木部材を取付けてローキャビネットを形成し、下方のキャビネット本体の天板の上に、上方のキャビネット本体の天板を重ねて連結するとともに、下方のキャビネット本体の取付部に巾木部材を取付け且つ上方のキャビネット本体の取付部に笠木部材を取付けてハイキャビネットを形成する。
【先行技術文献】
【特許文献】
【０００５】
【特許文献１】特開２００７−１７５３３８号公報
【特許文献２】特開２０１１−４５６７４号公報
【発明の概要】
【発明が解決しようとする課題】
【０００６】
しかしながら、上記特許文献２に記載のキャビネット装置では、上段に設けるキャビネットが上下逆になるため、例えばハンガーパイプが下側に位置する不都合がある。また、棚板の配置も上下逆になるので、棚板の配置直しが必要になるなどの欠点がある。
【０００７】
この発明は、上記の事情に鑑み、２台の収納家具において同じ把手配置の開き扉を用い、天地関係を維持したまま、２台の収納家具を上下２段重ねできるようにすることを課題とする。
【課題を解決するための手段】
【０００８】
この発明の収納家具は、上記の課題を解決するために、地板および天板を有する家具本体部と、上記家具本体部に対して着脱可能で左右の扉部を入れ替えて上下逆に取り付けられるようにした把手付きの開き扉と、上記家具本体部に着脱可能に設けられた脚部とから成り、上記脚部には、高さが変えられるアジャスターを装着できる装着部が形成されており、上記地板には、上記脚部を上記家具本体部に連結するための連結部材が装着される第１連結用貫通孔が形成されており、上記天板には、上記第１連結用貫通孔に一致する配置の第２連結用貫通孔、および上記脚部が上記天板側に配置された場合の上記アジャスターを上記家具本体部の内側から操作するための操作用貫通孔が形成されていることを特徴とする。
【０００９】
上記構成であれば、当該収納家具を天地維持の状態で上下２段に重ねた高い収納家具を作製する場合、上に載せる収納家具については、その脚部を取り外した状態で下段の収納家具の上側に配置することができる。上記家具本体部の天板には、上記第１連結用貫通孔に一致する配置の第２連結用貫通孔が形成されているので、両連結用貫通孔に連結部材を装着することで上下の家具本体部を互いに連結できる。そして、上段に配置された収納家具の開き扉については、左右の扉部を左右入れ替えて上下逆に付け替えることで、把手を下側にすることができるので、２台の収納家具において同じ把手配置の開き扉を用いることができる。すなわち、上記収納家具を上下で異なる構造のものにする必要がない。
【００１０】
また、上段に配置される収納家具の脚部については、上記天板に形成されている上記第２連結用貫通孔および連結部材を用いて上段の家具本体部の上側に付け替えることができる。上記家具本体部の天板には、上記脚部が天側に配置された場合の上記アジャスターを上記家具本体部の内側から操作するための操作用貫通孔が形成されているので、上記アジャスターの高さを調整して上記アジャスターを天井に対する突っ張り手段として利用することができる。このように、当該収納家具を天地維持の状態で上下２段に重ねるので、ハンガーパイプが下側に位置してしまうこともないし、棚板の配置が上下逆になることもない。
【００１１】
上記地板の下面には、上記アジャスターの操作用端部が入り込む有底穴が形成されていてもよい。これによれば、地板の上面側からは上記操作用端部が入り込む有底穴は見えないので、家具内側の見栄えがよい。
【００１２】
上記地板と上記天板が同一構成であってもよい。これによれば、部品の共通化によるコスト低減が図れる。
【００１３】
また、この発明の収納家具の２段重ね方法は、上記いずれかの収納家具を２台用い、上段に配置する収納家具を、その脚部を取り外して天地を維持した状態で下段の収納家具の天板上に配置し、上段に配置する収納家具の地板と下段の収納家具の天板とを連結する工程と、上記取り外した脚部を上段の収納家具の天板に組み付ける工程と、上段に配置する収納家具から上記把手付きの開き扉の左右の扉部を取外し、左右入れ替えて上下逆に付け直す工程と、を含むことを特徴とする。
【発明の効果】
【００１４】
本発明の収納家具であれば、２台の収納家具において同じ把手配置の開き扉を用い、天地関係を維持したまま、２台の収納家具を上下２段重ねできるという効果を奏する。
【図面の簡単な説明】
【００１５】
【図１】同図（Ａ）は本発明の実施形態の収納家具を示した平面図であり、同図（Ｂ）は正面図であり、同図（Ｃ）は底面図である。
【図２】図１の収納家具の側面図である。
【図３】図１の収納家具の天板の平面図（内側面）である。
【図４】図１の収納家具の地板の平面図（内側面）である。
【図５】図１の収納家具の斜視図である。
【図６】図１の収納家具の脚部の斜視図である。
【図７】図１の収納家具を上下に２段重ねた状態の正面図である。
【図８】図１の収納家具を上下に２段重ねた状態の斜視図である。
【発明を実施するための形態】
【００１６】
以下、この発明の実施の形態を添付図面に基づいて説明する。
図１（Ａ）、図１（Ｂ）および図１（Ｃ）に示すように、この実施形態の収納家具１は、家具本体部２と、開き扉３と、脚部（台輪）４とを備えている。
【００１７】
上記家具本体部２は、左右の側板２１と、地板２２と、天板２３と、背板２４と、棚板２５とを備えている。上記側板２１には、図２にも示すように、隣に配置される他の家具との連結のための連結孔２１ａが形成されている。
【００１８】
上記開き扉３は、観音開で開閉する左右の扉部３Ａ、３Ｂからなる。上記扉部３Ａ、３Ｂは、上記家具本体部２の上記左右の側板２１の内面に固定された上下２個配置のスライド蝶番３１に連結されている。また、上記扉部３Ａおよび扉部３Ｂには、把手３２が取り付けられている。上記把手３２は上記扉部３Ａおよび扉部３Ｂの上下方向中央位置よりも上側に固定されている。
【００１９】
上記扉部３Ａおよび扉部３Ｂは、上記家具本体部２に対して着脱可能で左右入れ替えて上下逆に取り付けられるよう設けられている。上記扉部３Ａおよび扉部３Ｂには、上記スライド蝶番３１が取り付けられる固定部が上下２箇所に形成されている。上下２箇所の上記スライド蝶番３１および上記固定部については、上記家具本体部２の上面から上側の固定部およびスライド蝶番３１までの距離と、上記家具本体部２の下面から下側の固定部およびスライド蝶番３１までの距離とが等しくされており、上記扉部３Ａおよび扉部３Ｂを上下逆に取り付けることができる。
【００２０】
上記脚部４は、長方形状の枠部４１と、この枠部４１の長辺間に跨がって配置された２枚の板部４２とからなる。上記板部４２は上記枠部４１の短辺部寄りで下縁側に設けられている。上記板部４２には、上記脚部４を上記家具本体部２における上記地板２２に取り付けるための４個の連結孔４２ａと、高さが変えられるアジャスター４４が装着される４個の雌ねじ部（装着部）４２ｂとが形成されている。上記雌ねじ部４２ｂは上記連結孔４２ａよりも左右方向の外側に形成されている。
【００２１】
上記家具本体部２における上記地板２２の下面には、図３にも示すように、第１連結用貫通孔２２ａが形成されている。この第１連結用貫通孔２２ａには、上記連結孔４２ａに装着された連結部材４３が挿入される。上記連結部材４３は例えばプラスドライバーで回すことができるようになっている。上記連結孔４２ａと上記第１連結用貫通孔２２ａとに上記連結部材４３が装着されることで、上記脚部４が上記家具本体部２の下面側に固定される。一方、上記連結部材４３を外すことで、上記脚部４を上記家具本体部２から取り外すことができる。取り外した上記脚部４の斜視図を図５に示す。
【００２２】
また、上記地板２２の下面には、図１（Ｂ）に示したように、上記アジャスター４４の操作用端部が入り込む有底穴２２ｂが４箇所形成されている。上記アジャスター４４の操作用端部には、例えばプラスドライバーの先端が入れられる十字溝が形成されている。上記有底穴２２ｂは、上記地板２２の内側（家具内）からは見えない。
【００２３】
上記天板２３には、図４および図６にも示すように、第２連結用貫通孔２３ａが形成されている。上記第２連結用貫通孔２３ａは上記第１連結用貫通孔２２ａに一致する寸法配置で４箇所形成されている。また、上記天板２３には、上記脚部４が上記天板２３側に配置された場合の上記アジャスター４４を上記家具本体部２の内側から操作するための操作用貫通孔２３ｂが４箇所形成されている。なお、図４に示しているように、上記天板２３の内側の縁部には、この天板２３を側板２１や背板２４に固定するための固定具（例えば、ラフィックス等）が装着される装着部が７箇所形成されている。
【００２４】
上記構成であれば、ライフスタイルの変化に応じて、図７および図８に示しているように、上記収納家具１を天地維持の状態で上下２段に重ねた高収納家具を作製する場合、上に載せる収納家具１については、その脚部４を取り外した状態で下段の収納家具１の上側に配置することができる。上記家具本体部２の天板２３には、上記第１連結用貫通孔２２ａに一致する配置の第２連結用貫通孔２３ａが形成されているので、両連結用貫通孔２２ａ、２３ａに上記連結部材４３等を装着することで上下の家具本体部２、２を互いに連結できる。そして、上段に配置される収納家具１の開き扉３の扉部３Ａ、３Ｂについては、左右入れ替えて上下逆に付け替えることで、把手３２を下側にすることができるので、２台の収納家具１において同じ把手配置の開き扉３を用いることができる。すなわち、上記収納家具１を上下で異なる構造のものにする必要がない。
【００２５】
また、上段に配置される収納家具１の脚部４については、上記天板２３に形成されている上記第２連結用貫通孔２３ａおよび上記連結部材４３を用いて上段の家具本体部２の上側に付け替えることができる。上記家具本体部２の天板２３には、上記脚部４が天側に配置された場合の上記アジャスター４４を上記家具本体部２の内側から操作するための操作用貫通孔２３ｂが形成されているので、この操作用貫通孔２３ｂから上記プラスドライバーを差し込んで、その先端を上記操作用端部の十字溝に入れて上記アジャスター４４の高さを調整し、このアジャスター４４を天井に対する突っ張り手段として利用することができる。このように、当該収納家具１を天地維持の状態で上下２段に重ねるので、例えばハンガーパイプが下側に位置してしまうこともないし、棚板の配置が上下逆になることもない。
【００２６】
また、上記有底穴２２ｂが形成されていると、上記地板２２の上面側からは上記有底穴２２ｂは見えないので、家具内面の見栄えがよい。一方、上記地板２２と上記天板２３が同一構成であってもよく。これによれば、部品の共通化によるコスト低減が図れる。この場合、上記有底穴２２ｂに代わって貫通孔が形成されることになるが、家具内面において貫通孔に化粧キャップを嵌め込むことができる。
【００２７】
また、この発明の収納家具の２段重ね方法では、上記収納家具１を２台用い、上段に配置する収納家具１を、その脚部４を取り外して天地を維持した状態で下段の収納家具１の天板２３上に配置し、上段に配置する収納家具１の地板２２と下段の収納家具１の天板２３とを連結する工程と、上記取り外した脚部４を上段の収納家具１の天板２３に組み付ける工程と、上段に配置する収納家具１から上記把手付きの開き扉３の左右の扉部３Ａ、３Ｂを取外し、左右入れ替えて上下逆に付け直す工程と、を含むことになる。もちろん、上記の工程の順序は問わない。
【００２８】
上記収納家具１を間仕切り収納家具として用いる場合、遮音性の高い背板２４を用いるのが望ましい。一方、上記背板２４を背面全体に配置しない連通タイプを採用することもできる。また、上記地板２２と上記天板２３の板厚を相違させてもよい。また、２台の収納家具１の高さは互いに異なっていてもよい。
【００２９】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３０】
１      収納家具
２      家具本体部
２２    地板
２２ａ  第１連結用貫通孔
２２ｂ  有底穴
２３    天板
２３ａ  第２連結用貫通孔
２３ｂ  操作用貫通孔
３      開き扉
３Ａ    扉部
３Ｂ    扉部
４      脚部
４１    枠部
４２    板部
４２ａ  連結孔
４２ｂ  雌ねじ部（装着部）
４３    連結部材
４４    アジャスター
【図１】
2014166230.tif 000003
【図２】
2014166230.tif 000004
【図３】
2014166230.tif 000005
【図４】
2014166230.tif 000006
【図５】
2014166230.tif 000007
【図６】
2014166230.tif 000008
【図７】
2014166230.tif 000009
【図８】
2014166230.tif 000010